(57)【要約】      （修正有）【課題】一部の蓄電素子を容易に交換できる蓄電装置の提供。【解決手段】第一方向に並ぶ複数の蓄電素子１０と、第一方向において複数の蓄電素子１０の両側に配置される一対の終端部材４１と、第一方向に延び且つ一対の終端部材４１を連結する連結部材４５と、隣り合う二つの蓄電素子１０の間に配置される中間部材と、を備え、連結部材４５は、第一方向における中間部材と対応する位置で分離可能であり、中間部材は、第一方向に離間可能で且つ互いに嵌合している第一中間部位２１と第二中間部位２２とを有する蓄電装置。【選択図】図１１
2019117732.tif 000002
【特許請求の範囲】
【請求項１】
第一方向に並ぶ複数の蓄電素子と、
前記第一方向において前記複数の蓄電素子の両側に配置される一対の終端部材と、
前記第一方向に延び且つ前記一対の終端部材を連結する連結部材と、
隣り合う二つの蓄電素子の間に配置される中間部材と、を備え、
前記連結部材は、前記第一方向における前記中間部材と対応する位置で分離可能であり、
前記中間部材は、前記第一方向に離間可能で且つ互いに嵌合している第一中間部位と第二中間部位とを有する、蓄電装置。
【請求項２】
前記第一中間部位は、前記連結部材において前記中間部材と対応する位置から前記第一方向の一方側に分離可能な部位である第一連結部位に固定され、
前記第二中間部位は、前記連結部材において前記中間部材と対応する位置から前記第一方向の他方側に分離可能な部位である第二連結部位に固定されている、請求項１に記載の蓄電装置。
【請求項３】
前記連結部材を前記中間部材に固定する固定部材を備え、
前記第一連結部位と前記第二連結部位とは、前記中間部材と対応する位置において重なり、
前記固定部材は、前記第一連結部位及び前記第二連結部位の前記重なっている部位を前記中間部材に固定する、請求項２に記載の蓄電装置。
【発明の詳細な説明】
【技術分野】
【０００１】
本発明は、複数の蓄電素子と、複数の蓄電素子の両側に配置される一対の終端部材と、一対の終端部材同士を連結する連結部材と、を備える蓄電素子に関する。
【背景技術】
【０００２】
従来から、複数の電池セルを備えたバッテリーモジュールが知られている（特許文献１参照）。具体的に、バッテリーモジュールは、複数の電池セルと、複数のバスバと、二つの枠体であるフレームと、二つの板ばねと、を有している。
【０００３】
電池セルは、フレーム内に一列に並べられ、積層体を形成する。バスバは、複数の電池セルを電気的に接続する。フレームは、複数の電池セルを一つのユニットとして囲み固定する。具体的に、フレームは、上側に配置される第一フレームと、下側に配置される第二フレームと、を有する。フレームの内側には、積層体が配置される。即ち、積層体は、上面側を積層方向に第一フレームにより拘束されるとともに、下面側を積層方向に第二フレームにより拘束される。板ばねは、第一フレーム及び第二フレームと接続され、積層体の端面とフレームに挟まれるようにして配置される。そして、板ばねは、電池セルの内圧の増加による電池セルの膨張を電池セルの外側から抑圧する。
【０００４】
以上のように構成されるバッテリーモジュールでは、複数の電池セルのうちの一部（例えば一つ）の電池セルに不具合が生じた場合、バスバや、二つの枠体であるフレーム、板ばね等を取り外して全体を分解しなければ電池セルを交換できないため、不具合の生じた電池セルを交換するのは、非常に煩雑である。特に、バスバが電池セルに溶接されている場合には、溶接された複数のバスバのそれぞれを電池セルから取り外さなければならず、不具合の生じた電池セルを交換する作業がより煩雑になる。このため、複数の電池セルを備えるバッテリーモジュールにおいて一部の電池セルに不具合が生じると、バッテリーモジュール全体を交換する場合があった。
【先行技術文献】
【特許文献】
【０００５】
【特許文献１】特開２０１７−３７７８９号公報
【発明の概要】
【発明が解決しようとする課題】
【０００６】
そこで、本実施形態は、一部の蓄電素子を容易に交換できる蓄電装置を提供することを目的とする。
【課題を解決するための手段】
【０００７】
本実施形態の蓄電装置は、
第一方向に並ぶ複数の蓄電素子と、
前記第一方向において前記複数の蓄電素子の両側に配置される一対の終端部材と、
前記第一方向に延び且つ前記一対の終端部材を連結する連結部材と、
隣り合う二つの蓄電素子の間に配置される中間部材と、を備え、
前記連結部材は、前記第一方向における前記中間部材と対応する位置で分離可能であり、
前記中間部材は、前記第一方向に離間可能で且つ互いに嵌合している第一中間部位と第二中間部位とを有する。
【０００８】
かかる構成によれば、蓄電装置を中間部材の位置において第一中間部位側と第二中間部位側とに分割できるため、複数の蓄電素子のうちの一部の蓄電素子を容易に交換できる。
【０００９】
前記蓄電装置では、
前記第一中間部位は、前記連結部材において前記中間部材と対応する位置から前記第一方向の一方側に分離可能な部位である第一連結部位に固定され、
前記第二中間部位は、前記連結部材において前記中間部材と対応する位置から前記第一方向の他方側に分離可能な部位である第二連結部位に固定されてもよい。
【００１０】
かかる構成によれば、第一連結部位と第二連結部位とが第一中間部位と第二連結部位とに固定されているため、蓄電装置が分割されても、分割位置より第一中間部位側の蓄電素子が終端部材と第一連結部位と第一中間部位とによって保持されると共に、第二中間部位側の蓄電素子が終端部材と第二連結部位と第二中間部位とによって保持される。これにより、分割された蓄電装置のそれぞれの取り扱いが容易になる。
【００１１】
また、前記蓄電装置では、
前記連結部材を前記中間部材に固定する固定部材を備え、
前記第一連結部位と前記第二連結部位とは、前記中間部材と対応する位置において重なり、
前記固定部材は、前記第一連結部位及び前記第二連結部位の前記重なっている部位を前記中間部材に固定してもよい。
【００１２】
このように、第一連結部位と第二連結部位との接続位置において第一連結部位と第二連結部位とを重ねた状態で中間部材に固定することで、連結部材を分離可能な構成としたことによる強度の低下が抑えられる。
【発明の効果】
【００１３】
以上より、本実施形態によれば、一部の蓄電素子を容易に交換できる蓄電装置を提供することができる。
【図面の簡単な説明】
【００１４】
【図１】図１は、本実施形態に係る蓄電装置の斜視図である。
【図２】図２は、前記蓄電装置の一部を省略した状態の分解斜視図である。
【図３】図３は、中間部材の第一中間部位の斜視図である。
【図４】図４は、前記第一中間部位の斜視図である。
【図５】図５は、前記第一中間部位のＸ軸方向視の図である。
【図６】図６は、前記中間部材の第二中間部位の斜視図である。
【図７】図７は、前記第二中間部位の斜視図である。
【図８】図８は、前記第二中間部位のＸ軸方向視の図である。
【図９】図９は、連結部材とインシュレータとの分解斜視図である。
【図１０】図１０は、第一バスバの構成を説明するための図である。
【図１１】図１１は、前記蓄電装置を分割した状態を示す斜視図である。
【発明を実施するための形態】
【００１５】
以下、本発明の一実施形態について、図１〜図１１を参照しつつ説明する。尚、本実施形態の各構成部材（各構成要素）の名称は、本実施形態におけるものであり、背景技術における各構成部材（各構成要素）の名称と異なる場合がある。
【００１６】
蓄電装置は、図１及び図２に示すように、複数の蓄電素子１０と、隣り合う蓄電素子１０の間に配置される中間部材２と、複数の蓄電素子１０と中間部材２とを保持する保持部材４と、を備える。この蓄電装置１は、保持部材４を中間部材２に固定する固定部材Ｂ１、Ｂ２、Ｂ３、Ｂ４を備える。また、蓄電装置１は、蓄電素子１０と隣接する隣接部材３と、複数の蓄電素子１０と保持部材４との間に配置されるインシュレータ６と、異なる蓄電素子１０同士を導通可能に接続するバスバ８と、を備える。また、本実施形態の蓄電装置１は、バスバ８を中間部材２に固定するための固定部材Ｂ５も備える。
【００１７】
複数の蓄電素子１０は、所定の方向（第一方向）に並ぶ。これら複数の蓄電素子１０のそれぞれは、一次電池、二次電池、キャパシタ等である。本実施形態の蓄電素子１０は、充放電可能な非水電解質二次電池である。より具体的には、蓄電素子１０は、リチウムイオンの移動に伴って生じる電子移動を利用したリチウムイオン二次電池である。
【００１８】
蓄電素子１０は、電極体と、電極体を電解液と共に収容するケース１３と、少なくとも一部がケース１３の外側に露出する外部端子１４と、ケース１３の内部において電極体と外部端子１４とを接続する集電体と、を備える。
【００１９】
電極体では、正極と負極とがセパレータを介して交互に積層されている。この電極体においてリチウムイオンが正極と負極との間を移動することにより、蓄電素子１０が充放電する。
【００２０】
ケース１３は、開口を有するケース本体１３１と、ケース本体１３１の開口を塞ぐ（閉じる）板状の蓋板１３２と、を有する。本実施形態のケース本体１３１は、有底角筒状である。このケース本体１３１を備えるケース１３は、扁平な直方体形状であり、複数の蓄電素子１０は、ケース１３（ケース本体１３１）の幅広な面（壁部）を対向させた状態で並んでいる。
【００２１】
以下では、複数の蓄電素子１０が並ぶ方向を直交座標系のＸ軸、ケース本体１３１の幅狭な一対の面（壁部）が対向する方向を直交座標系のＹ軸、蓋板１３２の法線方向を直交座標系のＺ軸とする。
【００２２】
中間部材２は、絶縁性を有する。この中間部材２は、Ｘ軸方向に離間可能で且つ互いに嵌合している第一中間部位２１と第二中間部位２２とを有する。本実施形態の中間部材２における第一中間部位２１と第二中間部位２２とは、凹凸嵌合している。
【００２３】
第一中間部位２１は、図３〜図５に示すように、Ｙ−Ｚ面（Ｙ軸とＺ軸とを含む面）方向に広がる第一本体部２１１と、第一本体部２１１に隣接する蓄電素子１０の該第一本体部２１１に対する相対移動を規制する第一規制部２１２と、を有する。
【００２４】
第一本体部２１１は、Ｙ−Ｚ面方向に広がる板状の第一基部２１５と、第一基部２１５のＸ軸方向における他方側の面２１５ＡからＸ軸方向の他方側に突出する凸部２１６と、を有する。この第一本体部２１１は、Ｘ軸方向における一方側の面２１５Ｂから突出する複数の凸部２１７を有し、これら複数の凸部２１７が第一本体部２１１と隣り合う蓄電素子１０に当接することによって、該蓄電素子１０との間に温度調整用の流体（本実施形態の例では空気）が流通可能な流路を形成する。
【００２５】
第一基部２１５は、蓄電素子１０（ケース１３）と対応する矩形の板状である。本実施形態の第一基部２１５は、Ｘ軸方向から見てＹ軸方向に長尺な矩形である（図５参照）。
【００２６】
凸部２１６は、Ｙ−Ｚ面と交差する方向に広がり且つ第二中間部位２２と当接する当接面２１６０Ｃ、２１６５Ｃを少なくとも一つ有する。具体的に、凸部２１６は、第一基部２１５の他方側の面２１５Ａから突出する第一凸部２１６０と、第一凸部２１６０の先端面（突出方向の端面）２１６０Ａから突出する第二凸部２１６５と、を有する。
【００２７】
第一凸部２１６０は、第一基部２１５の他方側の面２１５Ａの中央部に配置される矩形凸部２１６１と、矩形凸部２１６１からＹ−Ｚ面方向に沿って延びる延設凸部２１６２と、を有する。この第一凸部２１６０の先端面２１６０Ａは、第一基部２１５の他方側の面２１５Ａと平行な面である。即ち、矩形凸部２１６１の第一基部２１５（他方側の面２１５Ａ）からの突出寸法と、延設凸部２１６２の第一基部２１５（他方側の面２１５Ａ）からの突出寸法とは、同じである。第一凸部２１６０において、他方側の面（第一基部２１５の他方側の面）２１５Ａと先端面２１６０Ａとを繋ぐ面２１６０Ｃは、第二中間部位２２と当接する当接面である。また、本実施形態の第一凸部２１６０は、Ｘ軸方向の各位置での断面（Ｙ−Ｚ面に沿った断面）形状が相似形で且つ先端側（Ｘ軸方向の他方側）に向かうに連れて断面が小さくなる先細り形状である。
【００２８】
矩形凸部２１６１は、第一基部２１５と対応する矩形の凸部である。本実施形態の矩形凸部２１６１は、Ｘ軸方向から見てＹ軸方向に長尺な矩形である（図５参照）。
【００２９】
本実施形態の延設凸部２１６２は、矩形凸部２１６１から第一基部２１５のＹ軸方向の端縁位置までＹ軸方向に延びる第一延設凸部２１６３と、矩形凸部２１６１から第一基部２１５のＺ軸方向の端縁位置までＺ軸方向に延びる第二延設凸部２１６４と、を含む。第一延設凸部２１６３のＺ軸方向の寸法は、矩形凸部２１６１のＺ軸方向の寸法より小さい。また、第二延設凸部２１６４のＹ軸方向の寸法は、矩形凸部２１６１のＹ軸方向の寸法より小さい。本実施形態の第一延設凸部２１６３は、矩形凸部２１６１のＹ軸方向の両端からそれぞれ延びている。即ち、第一中間部位２１は、二つの第一延設凸部２１６３を有する。また、第二延設凸部２１６４は、矩形凸部２１６１のＺ軸方向の両端からそれぞれ延びている。即ち、第一中間部位２１は、二つの第二延設凸部２１６４を有する。
【００３０】
第二凸部２１６５は、第一凸部２１６０と同様に、Ｙ−Ｚ面と交差する方向に広がり且つ第二中間部位２２と当接する当接面２１６５Ｃを少なくとも一つ有する。この第二凸部２１６５は、第一凸部２１６０の先端面２１６０Ａの中央部（先端面２１６０Ａにおける矩形凸部２１６１に相当する領域）に配置される。この第二凸部２１６５の先端面２１６５Ａは、第一基部２１５の他方側の面２１５Ａ及び第一凸部２１６０の先端面２１６０Ａと平行な面である。第二凸部２１６５において、第一凸部２１６０の先端面２１６０Ａと該第二凸部２１６５の先端面２１６５Ａとを繋ぐ面２１６５Ｃは、第二中間部位２２と当接する当接面である。第二凸部２１６５は、矩形凸部２１６１と対応し且つ矩形凸部２１６１より小さな矩形の凸部である。本実施形態の第二凸部２１６５は、Ｘ軸方向から見てＹ軸方向に長尺な矩形である（図５参照）。この第二凸部２１６５は、Ｘ軸方向の各位置での断面（Ｙ−Ｚ面に沿った断面）形状が相似形で且つ先端側（Ｘ軸方向の他方側）に向かうに連れて断面が小さくなる先細り形状である。
【００３１】
第一規制部２１２は、第一本体部２１１からＸ軸方向に延び、第一本体部２１１と隣接する蓄電素子１０（詳しくはケース１３）とＹ−Ｚ面方向の外側から当接することによって該蓄電素子１０の第一本体部２１１に対するＹ−Ｚ面方向への相対移動を規制する。本実施形態の第一規制部２１２は、第一本体部２１１からＸ軸方向の一方側に向けて延びている。
【００３２】
また、第一中間部位２１は、Ｙ軸方向の両端に、ボルト等の固定部材が係止される被固定部材ＩＮ１を有する。本実施形態の被固定部材ＩＮ１は、インサートナットである。このインサートナットＩＮ１は、第一中間部位２１のＹ軸方向の両端に埋め込まれている。詳しくは、インサートナットＩＮ１は、第一延設凸部２１６３のＹ軸方向の端面側から固定部材を係止させることができるように、第一延設凸部２１６３のＹ軸方向の端部に埋め込まれている。本実施形態の第一中間部位２１では、Ｙ軸方向の各端部に、二つのインサートナットＩＮ１がＺ軸方向に間隔をあけて配置されている。
【００３３】
第二中間部位２２は、図６〜図８に示すように、Ｙ−Ｚ面方向に広がる第二本体部２２１と、第二本体部２２１に隣接する蓄電素子１０の該第二本体部２２１に対する相対移動を規制する第二規制部２２２と、を有する。
【００３４】
第二本体部２２１は、Ｙ−Ｚ面方向に広がる板状の第二基部２２５と、第二基部２２５のＸ軸方向における一方側の面２２５ＡからＸ軸方向の他方側に凹む凹部２２６と、を有する。この第二本体部２２１は、Ｘ軸方向における他方側の面２２５Ｂから突出する複数の凸部２２７を有し、これら複数の凸部２２７が第二本体部２２１と隣り合う蓄電素子１０に当接することによって、該蓄電素子１０との間に温度調整用の流体（本実施形態の例では空気）が流通可能な流路を形成する。
【００３５】
第二基部２２５は、蓄電素子１０（ケース１３）と対応する矩形の板状である。本実施形態の第二基部２２５は、Ｘ軸方向から見て第一基部２１５同じ形状、即ち、Ｙ軸方向に長尺な矩形である（図８参照）。
【００３６】
凹部２２６は、Ｙ−Ｚ面と交差する方向に広がり且つ第一中間部位２１と当接する当接面２２６０Ｃ、２２６５Ｃを少なくとも一つ有する。この凹部２２６には、第一中間部位２１の凸部２１６が嵌り込む。即ち、第二中間部位２２の凹部２２６は、第一中間部位２１の凸部２１６と対応する形状（凹凸嵌合可能な形状）を有し、第二中間部位２２の凹部２２６と第一中間部位２１の凸部２１６とは、嵌合している。具体的に、凹部２２６は、第二基部２２５の一方側の面２２５Ａから凹む第一凹部２２６０と、第一凹部２２６０の底面（凹み方向の端面）２２６０Ａから凹む第二凹部２２６５と、を有する。
【００３７】
第一凹部２２６０は、第二基部２２５の一方側の面２２５Ａの中央部に配置される矩形凹部２２６１と、矩形凹部２２６１からＹ−Ｚ面方向に沿って延びる延設凹部２２６２と、を有する。この第一凹部２２６０の底面２２６０Ａは、第二基部２２５の一方側の面２２５Ａと平行な面である。即ち、矩形凹部２２６１における第二基部２２５の一方側の面２２５Ａからの凹み寸法と、延設凹部２２６２における第二基部２２５の一方側の面２２５Ａからの凹み寸法とは、同じである。第一凹部２２６０において、一方側の面（第二基部２２５の一方側の面）２２５Ａと底面２２６０Ａとを繋ぐ面２２６０Ｃは、第一中間部位２１（詳しくは、第一凸部２１６０の面２１６０Ｃ）と当接する当接面である。また、本実施形態の第一凹部２２６０は、Ｘ軸方向の各位置での壁面形状（Ｙ−Ｚ面における壁面形状）が相似形で且つ底面２２６０Ａ側（Ｘ軸方向の他方側）に向かうに連れて前記壁面形状が小さくなる形状である。
【００３８】
矩形凹部２２６１は、第二基部２２５と対応する矩形の凹部である。本実施形態の矩形凹部２２６１は、Ｘ軸方向から見てＹ軸方向に長尺な矩形である（図８参照）。この矩形凹部２２６１は、第一中間部位２１の第一凸部２１６０の矩形凸部２１６１と嵌合する。
【００３９】
本実施形態の延設凹部２２６２は、矩形凹部２２６１から第二基部２２５のＹ軸方向の端縁位置までＹ軸方向に延びる第一延設凹部２２６３と、矩形凹部２２６１から第二基部２２５のＺ軸方向の端縁位置までＺ軸方向に延びる第二延設凹部２２６４と、を含む。第一延設凹部２２６３のＺ軸方向の寸法は、矩形凹部２２６１のＺ軸方向の寸法より小さい。また、第二延設凹部２２６４のＹ軸方向の寸法は、矩形凹部２２６１のＹ軸方向の寸法より小さい。本実施形態の第一延設凹部２２６３は、矩形凹部２２６１のＹ軸方向の両端からそれぞれ延びている。即ち、第二中間部位２２は、二つの第一延設凹部２２６３を有する。また、第二延設凹部２２６４は、矩形凹部２２６１のＺ軸方向の両端からそれぞれ延びている。即ち、第二中間部位２２は、二つの第二延設凹部２２６４を有する。各第一延設凹部２２６３は、第一中間部位２１の第一凸部２１６０の対応する第一延設凸部２１６３とそれぞれ嵌合し、各第二延設凹部２２６４は、第一中間部位２１の第一凸部２１６０の対応する第二延設凸部２１６４とそれぞれ嵌合する。
【００４０】
第二凹部２２６５は、第一凹部２２６０と同様に、Ｙ−Ｚ面と交差する方向に広がり且つ第一中間部位２１と当接する当接面２２６５Ｃを少なくとも一つ有する。この第二凹部２２６５は、第一凹部２２６０の底面２２６０Ａの中央部（底面２２６０Ａにおける矩形凹部２２６１に相当する領域）に配置される。この第二凹部２２６５の底面２２６５Ａは、第二基部２２５の一方側の面２２５Ａ及び第一凹部２２６０の底面２２６０Ａと平行な面である。第二凹部２２６５において、第一凹部２２６０の底面２２６０Ａと該第二凹部２２６５の底面２２６５Ａとを繋ぐ面２２６５Ｃは、第一中間部位２１と当接する当接面である。第二凹部２２６５は、矩形凹部２２６１と対応し且つ矩形凹部２２６１より小さな矩形の凹部である。本実施形態の第二凹部２２６５は、Ｘ軸方向から見てＹ軸方向に長尺な矩形である（図８参照）。この第二凹部２２６５は、Ｘ軸方向の各位置での壁面形状（Ｙ−Ｚ面における壁面形状）が相似形で且つ底面２２６５Ａ側（Ｘ軸方向の他方側）に向かうに連れて前記壁面形状が小さくなる形状である。この第二凹部２２６５は、第一中間部位２１の第二凸部２１６５と嵌合する。
【００４１】
第二規制部２２２は、第二本体部２２１からＸ軸方向に延び、第二本体部２２１と隣接する蓄電素子１０（詳しくはケース１３）とＹ−Ｚ面方向の外側から当接することによって該蓄電素子１０の第二本体部２２１に対するＹ−Ｚ面方向への相対移動を規制する。本実施形態の第二規制部２２２は、第二本体部２２１からＸ軸方向の他方側に向けて延びている。
【００４２】
また、第二中間部位２２は、Ｙ軸方向の両端に、ボルト等の固定部材が係止される被固定部材ＩＮ２、ＩＮ３、ＩＮ４を有する。また、第二中間部位２２は、Ｚ軸方向の一端にも、被固定部材ＩＮ５を有する。本実施形態の被固定部材ＩＮ２、ＩＮ３、ＩＮ４、ＩＮ５は、インサートナットである。インサートナットＩＮ２、ＩＮ３、ＩＮ４は、第二中間部位２２のＹ軸方向の両端に埋め込まれ、インサートナットＩＮ５は、第二中間部位２２のＺ軸方向の一方の端（図６における上端）に埋め込まれている。
【００４３】
インサートナットＩＮ２は、第二中間部位２２のＹ軸方向の端面側からボルト（固定部材）Ｂ４（図１１参照）を係止させることができるように、第二中間部位２２のＹ軸方向の端部に埋め込まれている。本実施形態の第二中間部位２２では、Ｙ軸方向の各端部（詳しくは、Ｚ軸方向における第一延設凹部２２６３と対応する位置）において、二つのインサートナットＩＮ２がＺ軸方向に間隔をあけて配置されている。インサートナットＩＮ３は、第二中間部位２２のＹ軸方向の各端部において、二つのインサートナットＩＮ２をＺ軸方向に挟むように二つ配置されている。また、インサートナットＩＮ４は、第二中間部位２２のＹ軸方向の各端部において、二つのインサートナットＩＮ３をＺ軸方向に挟むように二つ配置されている。インサートナットＩＮ５は、第二中間部位２２のＺ軸方向の一方の端におけるＹ軸方向の端部に配置されている。具体的に、インサートナットＩＮ５は、中間部材２を跨ぐように配置されるバスバ８（第一バスバ８１）とＺ軸方向から見て重なる位置に配置されている。
【００４４】
図１及び図２に戻り、隣接部材３は、Ｘ軸方向に並ぶ二つの蓄電素子１０の間、又は蓄電素子１０と該蓄電素子１０に対してＸ軸方向に並ぶ部材（本実施形態の例では、保持部材４の一部）との間に配置される。この隣接部材３は、複数種の隣接部材を含む。本実施形態の隣接部材３は、Ｘ軸方向の途中位置にある蓄電素子１０と隣接する中間隣接部材３１と、Ｘ軸方向において最も端にある蓄電素子１０の外側で該蓄電素子１０と隣接する終端隣接部材３２と、を含む。中間隣接部材３１は、中間部材２の配置されていない位置において、隣り合う二つの蓄電素子１０間のそれぞれに配置されている。即ち、蓄電装置１は、複数の中間隣接部材３１を有する。また、終端隣接部材３２は、Ｘ軸方向の最も端に配置された蓄電素子１０の外側のそれぞれに配置されている。即ち、蓄電装置１は、一対の終端隣接部材３２を有する。
【００４５】
複数の中間隣接部材３１のそれぞれは、絶縁性を有し、Ｘ軸方向に隣り合う二つの蓄電素子１０の間に配置される。これら複数の中間隣接部材３１のそれぞれは、Ｘ軸方向に隣り合う二つの蓄電素子１０の間に位置する板状の第三本体部３１１と、第三本体部３１１に隣接する蓄電素子１０の該第三本体部３１１に対する移動を規制する第三規制部３１２と、を有する。
【００４６】
第三本体部３１１は、蓄電素子１０のケース１３の幅広面と対向する部位であり、Ｙ−Ｚ面方向に広がる。本実施形態の第三本体部３１１は、隣接する蓄電素子１０との間に温度調整用の流体（本実施形態の例では空気）が流通可能な流路を形成する。
【００４７】
第三規制部３１２は、第三本体部３１１からＸ軸方向に延び、第三本体部３１１と隣接する蓄電素子１０（詳しくはケース１３）とＹ−Ｚ面方向の外側から当接することによって該蓄電素子１０の第三本体部３１１に対するＹ−Ｚ面方向への相対移動を規制する。本実施形態の第三規制部３１２は、第三本体部３１１からＸ軸方向の両側に向けてそれぞれ延びている。
【００４８】
一対の終端隣接部材３２のそれぞれは、絶縁性を有し、Ｘ軸方向に隣り合う蓄電素子１０と保持部材４（終端部材４１）との間に配置される。これら一対の終端隣接部材３２のそれぞれは、蓄電素子１０及び保持部材４との間において蓄電素子１０と隣接する第四本体部３２１と、第四本体部３２１に対する蓄電素子１０の移動を規制する第四規制部３２２と、を有する。
【００４９】
第四本体部３２１は、Ｘ軸方向の端部に配置された蓄電素子１０のケース１３における幅広面と対向する部位であり、Ｙ−Ｚ面方向に広がる。本実施形態の第四本体部３２１は、隣接する蓄電素子１０との間に温度調整用の流体（本実施形態の例では空気）が流通可能な流路を形成する。
【００５０】
第四規制部３２２は、第四本体部３２１からＸ軸方向に延び、第四本体部３２１と隣接する蓄電素子１０（詳しくはケース１３）とＹ−Ｚ面方向の外側から当接することによって該蓄電素子１０の第四本体部３２１に対するＹ−Ｚ面方向への相対移動を規制する。本実施形態の第四規制部３２２は、第四本体部３２１から蓄電素子１０の配置されている側に向けて延びている。
【００５１】
保持部材４は、複数の蓄電素子１０と中間部材２と複数の隣接部材３との周囲を囲むことで、これら複数の蓄電素子１０、中間部材２、及び複数の隣接部材３をひとまとめに保持する。この保持部材４は、金属等の導電性を有する部材によって構成される。具体的に、保持部材４は、Ｘ軸方向において複数の蓄電素子１０の両側に配置される一対の終端部材４１と、Ｘ軸方向に延び且つ一対の終端部材４１を連結する連結部材４５と、を有する。
【００５２】
一対の終端部材４１のそれぞれは、Ｘ軸方向の端に配置された蓄電素子１０との間に終端隣接部材３２を挟み込むように配置される。この終端部材４１は、Ｙ−Ｚ面方向に広がる。具体的に、終端部材４１は、蓄電素子１０と対応する輪郭（本実施形態では矩形状の輪郭）を有する本体４１１と、本体４１１から終端隣接部材３２（第四本体部３２１）に向けて突出し且つ該終端隣接部材３２に当接して該終端隣接部材３２を押圧する圧接部４１２と、を有する。
【００５３】
連結部材４５は、図９にも示すように、Ｘ軸方向において複数の部位（本実施形態の例では二つ）に分離（分割）可能である。本実施形態の連結部材４５は、Ｘ軸方向における中間部材２と対応する位置において分離可能である。この連結部材４５において、中間部材２と対応する位置からＸ軸方向の一方側（図１における前方側）に分離可能な部位が第一連結部位４６であり、中間部材２と対応する位置からＸ軸方向の他方側（図１における後方側）に分離可能な部位が第二連結部位４７である。本実施形態の連結部材４５は、Ｙ軸方向における蓄電素子１０の両側に配置される。即ち、保持部材４は、一対の連結部材４５を有する。
【００５４】
第一連結部位４６は、Ｘ軸方向に延び且つＺ軸方向に間隔をあけて配置される一対の第一梁部４６１と、一対の第一梁部４６１の一方側（第二連結部位４７と反対側）の端部同士を連結する第一外側連結部４６２と、一対の第一梁部４６１の他方側（第二連結部位４７側）の端部同士を連結する第一内側連結部４６３と、Ｘ軸方向における途中位置において一対の第一梁部４６１同士を連結する少なくとも一つの第一中間連結部４６４と、を有する。この第一連結部位４６において、各第一梁部４６１の他方側の端部と第一内側連結部４６３とは、第二連結部位４７との接続部（第一接続部）４６０を構成する。
【００５５】
第一接続部４６０は、第二連結部位４７（詳しくは、Ｘ軸方向の一方側の端部）と重なる部位である。具体的に、第一接続部４６０は、Ｙ−Ｚ面方向に広がり且つＺ軸方向に長尺な第一部位４６０Ａと、第一部位４６０ＡのＺ軸方向の両端からＹ軸方向の内側（中間部材２側）に向けて延びる一対の第二部位４６０Ｂと、を有する。
【００５６】
第一部位４６０Ａは、複数の貫通孔４６０１、４６０２、４６０３を有する。本実施形態の第一部位４６０Ａには、Ｚ軸方向に間隔をあけた二つの貫通孔を一組として、三つの貫通孔の組（第一貫通孔４６０１の組、第二貫通孔４６０２の組、第三貫通孔４６０３の組）が配置されている。
【００５７】
第一貫通孔４６０１は、第一中間部位２１のインサートナット（被固定部材）ＩＮ１と対応する位置（Ｙ軸方向から見て重なる位置）に配置され、第一連結部位４６を第一中間部位２１に固定するのに用いられる。詳しくは、ボルト（固定部材）Ｂ１が第一貫通孔４６０１に挿通された状態で該ボルトＢ１が第一中間部位２１のインサートナットＩＮ１にねじ込まれることによって、第一連結部位４６が第一中間部位２１に固定される（図１１参照）。
【００５８】
第二貫通孔４６０２は、第二中間部位２２のインサートナット（被固定部材）ＩＮ３と対応する位置（Ｙ軸方向から見て重なる位置）に配置され、第一連結部位４６と第二連結部位４７との接続に用いられる。詳しくは、ボルト（固定部材）Ｂ２が、第二貫通孔４６０２、及び第一接続部４６０と重なった状態の第二連結部位４７（第二接続部４７０）の第五貫通孔４７０２のそれぞれに挿通された状態で、中間部材２のねじ穴（本実施形態の例では、第二中間部位２２のインサートナットＩＮ３）にねじ込まれることによって、第一連結部位４６と第二連結部位４７とが接続される（図１参照）。また、本実施形態の蓄電装置１では、ボルトＢ２の前記ねじ込みにより、連結部材４５（第一連結部位４６及び第二連結部位４７）が中間部材２に固定される。
【００５９】
第三貫通孔４６０３は、第二中間部位２２のインサートナット（被固定部材）ＩＮ４と対応する位置（Ｙ軸方向から見て重なる位置）に配置され、第一連結部位４６と第二連結部位４７との接続に用いられる。詳しくは、ボルト（固定部材）Ｂ３が、第三貫通孔４６０３、及び第一接続部４６０と重なった状態の第二連結部位４７（第二接続部４７０）の第六貫通孔４７０３のそれぞれに挿通された状態で、中間部材２のねじ穴（本実施形態の例では、第二中間部位２２のインサートナットＩＮ４）にねじ込まれることによって、第一連結部位４６と第二連結部位４７とが接続される（図１参照）。また、本実施形態の蓄電装置１では、ボルトＢ３の前記ねじ込みにより、連結部材４５（第一連結部位４６及び第二連結部位４７）が中間部材２に固定される。
【００６０】
本実施形態の第一連結部位４６では、Ｚ軸方向において、最も内側に第一貫通孔４６０１の組が配置され、第一貫通孔４６０１の組の外側に該第一貫通孔４６０１の組を間に挟むように第二貫通孔４６０２の組が配置され、第二貫通孔４６０２の組の外側に該第二貫通孔４６０２の組を間に挟むように第三貫通孔４６０３の組が配置されている。
【００６１】
第二連結部位４７は、Ｘ軸方向に延び且つＺ軸方向に間隔をあけて配置される一対の第二梁部４７１と、一対の第二梁部４７１の他方側（第一連結部位４６と反対側）の端部同士を連結する第二外側連結部４７２と、一対の第二梁部４７１の一方側（第一連結部位４６側）の端部同士を連結する第二内側連結部４７３と、Ｘ軸方向における途中位置において一対の第二梁部４７１同士を連結する少なくとも一つの第二中間連結部４７４と、を有する。この第二連結部位４７において、各第二梁部４７１の一方側の端部と第二内側連結部４７３とは、第一連結部位４６との接続部（第二接続部）４７０を構成する。
【００６２】
第二接続部４７０は、第一連結部位４６（詳しくは、Ｘ軸方向の他方側の端部（第一接続部４６０））と重なる部位である。具体的に、第二接続部４７０は、Ｙ−Ｚ面方向に広がり且つＺ軸方向に長尺な第三部位４７０Ａと、第三部位４７０ＡのＺ軸方向の両端からＹ軸方向の内側（中間部材２側）に向けて延びる一対の第四部位４７０Ｂと、を有する。
【００６３】
第三部位４７０Ａは、複数の貫通孔４７０１、４７０２、４７０３を有する。本実施形態の第三部位４７０Ａには、Ｚ軸方向に間隔をあけた二つの貫通孔を一組として、三つの貫通孔の組（第四貫通孔４７０１の組、第五貫通孔４７０２の組、第六貫通孔４７０３の組）が配置されている。
【００６４】
第四貫通孔４７０１は、第二中間部位２２のインサートナット（被固定部材）ＩＮ２と対応する位置（Ｙ軸方向から見て重なる位置）に配置され、第二連結部位４７を第二中間部位２２に固定するのに用いられる。詳しくは、ボルトＢ４が第四貫通孔４７０１に挿通された状態で該ボルトＢ４が第二中間部位２２のインサートナットＩＮ２にねじ込まれることによって、第二連結部位４７が第二中間部位２２に固定される（図１１参照）。
【００６５】
第五貫通孔４７０２は、第二中間部位２２のインサートナットＩＮ３及び第一連結部位４６の第二貫通孔４６０２と対応する位置（Ｙ軸方向から見て重なる位置）に配置され、第一連結部位４６と第二連結部位４７との接続に用いられる。詳しくは、ボルト（固定部材）Ｂ２が、第五貫通孔４７０２、及び第二接続部４７０と重なった状態の第一連結部位４６（第一接続部４６０）の第二貫通孔４６０２のそれぞれに挿通された状態で、中間部材２のねじ穴（本実施形態の例では、第二中間部位２２のインサートナットＩＮ３）にねじ込まれることによって、第一連結部位４６と第二連結部位４７とが接続される（図１参照）。また、本実施形態の蓄電装置１では、ボルトＢ２の前記ねじ込みにより、連結部材４５（第一連結部位４６及び第二連結部位４７）が中間部材２に固定される。
【００６６】
第六貫通孔４７０３は、第二中間部位２２のインサートナットＩＮ４及び第一連結部位４６の第三貫通孔４６０３と対応する位置（Ｙ軸方向から見て重なる位置）に配置され、第一連結部位４６と第二連結部位４７との接続に用いられる。詳しくは、ボルト（固定部材）Ｂ３が、第六貫通孔４７０３、及び第二接続部４７０と重なった状態の第一連結部位４６（第一接続部４６０）の第三貫通孔４６０３のそれぞれに挿通された状態で、中間部材２のねじ穴（本実施形態の例では、第二中間部位２２のインサートナットＩＮ４）にねじ込まれることによって、第一連結部位４６と第二連結部位４７とが接続される（図１参照）。また、本実施形態の蓄電装置１では、ボルトＢ３の前記ねじ込みにより、連結部材４５（第一連結部位４６及び第二連結部位４７）が中間部材２に固定される。
【００６７】
本実施形態の第二連結部位４７では、Ｚ軸方向において、最も内側に第四貫通孔４７０１の組が配置され、第四貫通孔４７０１の組の外側に該第四貫通孔４７０１の組を間に挟むように第五貫通孔４７０２の組が配置され、第五貫通孔４７０２の組の外側に該第五貫通孔４７０２の組を間に挟むように第六貫通孔４７０３の組が配置されている。また、第五貫通孔４７０２は、第一連結部位４６の第二貫通孔４６０２とＹ軸方向から見て重なる位置に配置され、第六貫通孔４７０３は、第一連結部位４６の第三貫通孔４６０３とＹ軸方向から見て重なる位置に配置されている。
【００６８】
インシュレータ６は、絶縁性を有し、連結部材４５と複数の蓄電素子１０との間に配置される。このインシュレータ６は、連結部材４５における少なくとも複数の蓄電素子１０と対向する領域を覆う。これにより、インシュレータ６は、連結部材４５と、複数の蓄電素子１０との間を絶縁する。本実施形態のインシュレータ６は、第一連結部位４６における少なくとも複数の蓄電素子１０と対向する領域を覆う第一インシュレータ６１と、第二連結部位４７における少なくとも複数の蓄電素子１０と対向する領域を覆う第二インシュレータ６２と、を有する。
【００６９】
バスバ８は、金属等の導電性を有する部材である。バスバ８は、蓄電素子１０の外部端子１４同士を導通させる。バスバ８は、蓄電装置１において複数（複数の蓄電素子１０と対応する数）設けられる。本実施形態の複数のバスバ８は、蓄電装置１に含まれる複数の蓄電素子１０の全てを直列に接続する（導通させる）。このバスバ８は、複数種のバスバを含む。本実施形態のバスバ８は、中間部材２を介して隣り合う蓄電素子１０の外部端子１４同士を導通させる（即ち、中間部材２を跨いで接続する）第一バスバ８１と、中間隣接部材３１を介して隣り合う蓄電素子１０の外部端子１４同士を導通させる（即ち、中間隣接部材３１を跨いで接続する）第二バスバ８２と、を有する。本実施形態の蓄電装置１は、一つの第一バスバ８１と、複数（複数の蓄電素子１０と対応する数）の第二バスバ８２と、を有する。
【００７０】
第一バスバ８１は、図１０にも示すように、中間部材２の一方側（第一中間部位２１側）において該中間部材２と隣接する蓄電素子１０（以下、「一方の蓄電素子１０Ａ」と称する。）の外部端子１４に接続される第一部材８５と、中間部材２の他方側（第二中間部位２２側）において該中間部材２と隣接する蓄電素子１０（以下、「他方の蓄電素子１０Ｂ」と称する。）の外部端子１４に接続され且つその一部が第一部材８５と重なる第二部材８６と、を有する。
【００７１】
第一部材８５は、一方の蓄電素子１０Ａの外部端子１４から中間部材２まで延びるＸ−Ｙ面（Ｘ軸とＹ軸とを含む面）に沿った板状である。この第一部材８５は、第二中間部位２２のインサートナットＩＮ５と重なる位置に貫通孔８５１を有する。
【００７２】
第二部材８６は、他方の蓄電素子１０Ｂの外部端子１４から中間部材２まで延びるＸ−Ｙ面に沿った板状である。この第二部材８６の中間部材２側の部位は、第一部材８５と重なっている。また、第二部材８６は、第二中間部位２２のインサートナットＩＮ５及び第一部材８５の貫通孔８５１と重なる位置に貫通孔８６１を有する。
【００７３】
これら第一部材８５の貫通孔８５１と第二部材８６の貫通孔８６１とは、第一部材８５と第二部材８６との接続に用いられる。詳しくは、ボルト（固定部材）Ｂ５が、第一部材８５の貫通孔８５１、及び第二部材８６の貫通孔８６１のそれぞれに挿通された状態で、中間部材２のねじ穴（本実施形態の例では、第二中間部位２２のインサートナットＩＮ５）にねじ込まれることによって、第一部材８５と第二部材８６とが導通可能に接続される。また、本実施形態の蓄電装置１では、ボルトＢ５の前記ねじ込みにより、第一バスバ８１（第一部材８５及び第二部材８６）が中間部材２（第二中間部位２２）に固定される。
【００７４】
複数の第二バスバ８２のそれぞれは、Ｘ軸方向に延びるＸ―Ｙ面に沿った板状である。この第二バスバ８２は、Ｘ軸方向に隣り合う二つの蓄電素子１０のうちの一方の蓄電素子１０の外部端子１４から他方の蓄電素子１０の外部端子１４まで延びる。
【００７５】
以上の蓄電装置１によれば、蓄電装置１を中間部材２の位置において第一中間部位２１側と第二中間部位２２側とに分割できるため、複数の蓄電素子１０のうちの一部の蓄電素子１０を容易に交換できる。具体的に、蓄電装置１は、ボルトＢ２、Ｂ３、Ｂ５が取り外されることにより、図１１に示すように複数（図１１の例では二つ）の部位（以下、「ブロック」と称することもある。）ＢＬ１、ＢＬ２に分割できる。これにより、一部の蓄電素子１０に不具合が生じたときに、不具合が生じた蓄電素子１０の交換が容易に行われる。即ち、蓄電装置１の全体（複数の蓄電素子１０の全て）を交換しなくてもよい。
【００７６】
このとき、第一中間部位２１が第一連結部位４６に固定され、第二中間部位２２が第二連結部位４７に固定されているため、分割位置より第一中間部位２１側の複数の蓄電素子１０が終端部材４１と第一連結部位４６と第一中間部位２１とによって保持されるとともに、第二中間部位２２側の複数の蓄電素子１０も終端部材４１と第二連結部位４７と第二中間部位２２とによって保持されている。このため、分割された蓄電装置１の各ブロックＢＬ１、ＢＬ２の取り扱いが容易になる。即ち、蓄電装置１が中間部材２の位置で分割されても、複数の蓄電素子１０がばらばらにならずに、各ブロックＢＬ１、ＢＬ２を取り扱うことができる。
【００７７】
また、第一中間部位２１と第二中間部位２２とが凹凸嵌合しているため、蓄電装置１におけるＸ軸方向の途中（中間）位置へのＹ−Ｚ面方向に沿った力が加わったときの強度が確保される。即ち、中間部材２の一方の部材（第一中間部位２１）の一部が他方の部材（第二中間部位２２）に入り込むように両部材２１、２２が嵌合することで、蓄電装置１における該嵌合位置での折れ曲がりを防ぐことができる。
【００７８】
また、本実施形態の蓄電装置１では、第一連結部位４６と第二連結部位４７とが中間部材２と対応する位置において重なり、ボルトＢ２、Ｂ３が、第一連結部位４６及び第二連結部位４７の重なっている部位（第一接続部４６０及び第二接続部４７０）を中間部材２に固定している。このように、第一連結部位４６と第二連結部位４７との接続位置において第一連結部位４６（第一接続部４６０）と第二連結部位４７（第二接続部４７０）とが重ねられた状態で中間部材２に固定されることで、連結部材４５を分離可能な構成としたことによる強度の低下が抑えられる。
【００７９】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００８０】
上記実施形態の蓄電装置１では、二つのブロックＢＬ１、ＢＬ２に分割（分離）可能であるが、この構成に限定されない。蓄電装置１は、三つ以上のブロックＢＬ１、ＢＬ２、ＢＬ３、…に分割（分離）可能に構成されてもよい。この場合、分割位置のそれぞれに中間部材２が配置されることが好ましい。
【００８１】
上記実施形態の蓄電装置１では、複数のブロックＢＬ１、ＢＬ２のそれぞれに複数の蓄電素子１０が配置（保持）されているが、この構成に限定されない。各ブロックＢＬ１、ＢＬ２には、少なくとも一つの蓄電素子１０が配置（保持）されていればよい。
【００８２】
上記実施形態の第一中間部位２１と第二中間部位２２とには、それぞれ、一つの凸部２１６又は一つの凹部２２６が配置されているが、この構成に限定されない。第一中間部位２１と第二中間部位２２とのそれぞれに、複数の凸部又は複数の凹部が配置されてもよい。この場合、一方の中間部位２１、２２に配置された複数の凸部のそれぞれが、他方の中間部位２２、２１に配置された対応する凹部のそれぞれと嵌合する。
【００８３】
また、第一中間部位２１と第二中間部位２２とのそれぞれに、凸部と凹部の両方が配置されてもよい。例えば具体的には、第一中間部位２１に凹部と凸部とが配置され、第二中間部位２２に、第一中間部位２１の凹部と対応（嵌合）する凸部と、第一中間部位２１の凸部と対応（嵌合）する凹部とが配置される。
【００８４】
上記実施形態の第一中間部位２１では、凸部２１６が、第一凸部２１６０と、該第一凸部２１６０から突出する第二凸部２１６５と、を有する二段構成であるが、この構成に限定されない。凸部２１６は、一段構成でもよく、三段以上の構成でもよい。この場合も、第二中間部位２２の凹部２２６は、一段又は多段構成の凸部２１６の各段（各段を構成する凸部のそれぞれ）と嵌合する形状を有することが好ましい。
【００８５】
上記実施形態の蓄電装置１では、連結部材４５の接続部位（第一連結部位４６の第一接続部４６０と第二連結部位４７の第二接続部４７０が重なっている部位）が、Ｙ軸方向の端面側から中間部材２に固定されているが、この構成に限定されない。前記接続部位は、Ｚ軸方向の端面側から中間部材２に固定されてもよい。また、前記接続部位は、例えば、第一接続部４６０の第二部位４６０Ｂと第二接続部４７０の第四部位４７０ＢとをＹ軸方向に延ばすことにより、Ｙ軸方向の端面側とＺ軸方向の端面側との両側から中間部材２に固定されてもよい。かかる構成によれば、例えば、蓄電装置１の前記接続部位及びその近傍に加わるＹ軸方向やＺ軸方向からの力に対する強度がより向上する。
【００８６】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【符号の説明】
【００８７】
１…蓄電装置、１０…蓄電素子、１０Ａ…一方側の蓄電素子、１０Ｂ…他方側の蓄電素子、１３…ケース、１３１…ケース本体、１３２…蓋板、１４…外部端子、２…中間部材、２１…第一中間部位（中間部位）、２１１…第一本体部、２１２…第一規制部、２１５…第一基部、２１５Ａ…第一基部の他方側の面、２１５Ｂ…第一基部の一方側の面、２１６…凸部、２１６０…第一凸部、２１６０Ａ…先端面、２１６０Ｃ…当接面、２１６１…矩形凸部、２１６１Ｃ…当接面、２１６２…延設凸部、２１６３…第一延設凸部、２１６４…第二延設凸部、２１６５…第二凸部、２１６５Ａ…先端面、２１６５Ｃ…当接面、２１７…凸部、２２…第二中間部位（中間部位）、２２１…第二本体部、２２２…第二規制部、２２５…第二基部、２２５Ａ…第二基部の一方側の面、２２５Ｂ…第二基部の他方側の面、２２６…凹部、２２６０…第一凹部、２２６０Ａ…底面、２２６０Ｃ…当接面、２２６１…矩形凹部、２２６２…延設凹部、２２６３…第一延設凹部、２２６４…第二延設凹部、２２６５…第二凹部、２２６５Ａ…底面、２２６５Ｃ…当接面、２２７…凸部、３…隣接部材、３１…中間隣接部材、３１１…第三本体部、３１２…第三規制部、３２…終端隣接部材、３２１…第四本体部、３２２…第四規制部、４…保持部材、４１…終端部材、４１１…本体、４１２…圧接部、４５…連結部材、４６…第一連結部位、４６０…第一接続部、４６０Ａ…第一部位、４６０Ｂ…第二部位、４６０１…第一貫通孔、４６０２…第二貫通孔、４６０３…第三貫通孔、４６１…第一梁部、４６２…第一外側連結部、４６３…第一内側連結部、４６４…第一中間連結部、４７…第二連結部位、４７０…第二接続部、４７０Ａ…第三部位、４７０Ｂ…第四部位、４７０１…第四貫通孔、４７０２…第五貫通孔、４７０３…第六貫通孔、４７１…第二梁部、４７２…第二外側連結部、４７３…第二内側連結部、４７４…第二中間連結部、６…インシュレータ、６１…第一インシュレータ、６２…第二インシュレータ、８…バスバ、８１…第一バスバ、８５…第一部材、８５１…貫通孔、８６…第二部材、８６１…貫通孔、８２…第二バスバ、Ｂ１、Ｂ２、Ｂ３、Ｂ４、Ｂ５…ボルト（固定部材）、ＢＬ１、ＢＬ２…ブロック、ＩＮ１、ＩＮ２、ＩＮ３、ＩＮ４、ＩＮ５…インサートナット（被固定部材）
【図１】
2019117732.tif 000003
【図２】
2019117732.tif 000004
【図３】
2019117732.tif 000005
【図４】
2019117732.tif 000006
【図５】
2019117732.tif 000007
【図６】
2019117732.tif 000008
【図７】
2019117732.tif 000009
【図８】
2019117732.tif 000010
【図９】
2019117732.tif 000011
【図１０】
2019117732.tif 000012
【図１１】
2019117732.tif 000013